(57)【要約】  本発明は、ミニブログアルバムへアクセスするための方法及びシステムを提供し、当該方法は、ミニブログクライアントが、ユーザによって入力された、識別子を有するミニブログアルバムの閲覧要求情報を受信して、ミニブログサーバーへ送信するステップと、ミニブログクライアントが、ミニブログサーバーからフィードバックされた前記識別子に対応するミニブログ情報を受信するステップと、ミニブログクライアントが、ミニブログ情報に保持された画像のリンクアドレスに基づいてミニブログサーバーから画像を取得するステップと、取得したすべての画像でミニアルバムを生成し、該ミニアルバムを表示するステップと、を含む。本発明の技術案は、ミニブログクライアントによってユーザがアップロードした過去の画像を表示することができる。【選択図】図１
2014533869.tif 000002
【特許請求の範囲】
【請求項１】
ミニブログクライアントによって、識別子を有するミニブログアルバムの閲覧要求情報を受信し、該要求情報を前記ミニブログサーバーに送信するステップと、
前記ミニブログクライアントによって、前記ミニブログサーバーからフィードバックされた前記識別子に対応するミニブログ情報を受信するステップと、
前記ミニブログクライアントによって、前記ミニブログ情報に保持された画像リンクアドレスに基づいて、前記ミニブログサーバーから画像を取得するステップと、
前記ミニブログクライアントによって、前記取得した画像に従いアルバムを組版及び生成し、該アルバムを表示するステップと、を含む
ことを特徴とするミニブログアルバムへアクセスするための方法。
【請求項２】
前記識別子はユーザ識別子であり、
前記ミニブログクライアントによって該ミニブログサーバーからフィードバックされた前記識別子に対応する前記ミニブログ情報を受信するステップは、
前記ミニブログサーバーによって、前記識別子に対応するすべてのミニブログ情報を取得するステップと、
前記ミニブログサーバーによって、前記ユーザ識別子に従ってユーザの創作していないミニブログ情報を取り除き、ユーザの創作したミニブログ情報のみを前記ミニブログクライアントにフィードバックするステップと、を含む
ことを特徴とする請求項１に記載の方法。
【請求項３】
前記ユーザ識別子は、前記ミニブログクライアントにログインしているアクティブユーザの識別子、または前記ミニブログクライアントにログインしている前記アクティブユーザの友人の識別子である
ことを特徴とする請求項2に記載の方法。
【請求項４】
前記ミニブログクライアントによって前記ミニブログ情報に保持された画像リンクアドレスに基づいて前記ミニブログサーバーから前記画像を取得するステップは、
前記ミニブログクライアントによって、前記ミニブログサーバーへクライアントスクリーンサイズ情報と前記画像リンクアドレスを有する第1の画像取得要求を送信するステップと、
ミニブログサーバーが、前記第1の画像取得要求に含まれている前記画像リンクアドレスに基づいて画像をアドレッシングすることで、画像リンクアドレスに対応する保存された画像を見つけ出し、保存された画像の中からクライアントスクリーンサイズに合致する画像を抽出し、前記ミニブログクライアントにフィードバックして表示させるステップと、を含む
ことを特徴とする請求項１に記載の方法。
【請求項５】
前記ミニブログクライアントによって前記取得された画像に従いアルバムを組版及び生成し、表示した後、前記方法は、さらに、
前記ミニブログクライアントによって、ユーザによって入力された画像のリンクアドレスを有する画像拡大表示要求を受信し、ミニブログサーバーに、拡大サイズ及び前記画像リンクアドレスを有する第2の画像取得要求を送信するステップと、
前記ミニブログクライアントによって、前記第2の画像取得要求に含まれている前記画像リンクアドレスに基づいて画像をアドレッシングすることで、第2の画像取得要求に含まれている前記画像リンクアドレスに対応する保存された画像を見つけ出し、保存された画像の中から拡大サイズに合致する画像を抽出して、前記ミニブログクライアントにフィードバックして表示させるステップと、を含む
ことを特徴とする請求項4に記載の方法。
【請求項６】
前記拡大サイズに合致する画像を前記ミニブログクライアントに送信して表示した後、前記方法は、さらに、
前記ミニブログクライアントによって、前記ユーザによって入力された、前記画像リンクアドレスを有するミニブログ情報表示要求を受信するステップと、
前記ミニブログサーバーからフィードバックされた前記ミニブログ情報から、前記画像リンクアドレスに対応するミニブログ文字内容情報を抽出して、前記拡大画像と共に表示するステップと、を含む
ことを特徴とする請求項5に記載の方法。
【請求項７】
識別子を有するミニブログアルバムの閲覧要求情報を受信し、該要求情報をミニブログサーバーに送信し、ミニブログサーバーからフィードバックされた前記識別子に対応するミニブログ情報を受信し、該ミニブログ情報に保持された画像リンクアドレスに基づいてミニブログサーバーから画像を取得し、取得された画像でアルバムを組版及び生成し、表示するミニブログクライアントと、
該ミニブログクライアントからのミニブログのアルバムの閲覧要求情報を受信し、前記識別子に対応する前記ミニブログ情報を抽出してミニブログのクライアントへフィードバックするミニブログサーバーと、を含む
ことを特徴とするミニブログアルバムへアクセスするためのシステム。
【請求項８】
前記ミニブログクライアントは、
前記ミニブログアルバム閲覧要求情報を受信して、該要求情報をアドレスフィードバックユニットに送信し、アドレスフィードバックユニットからフィードバックされた前記ミニブログ情報を受信して、画像取得ユニットに送信するアルバム要求ユニットと、
前記ミニブログ情報に保持された画像リンクアドレスに基づいてミニブログサーバーから画像を取得し、取得された画像でアルバムを組版及び生成し、表示する画像取得ユニットと、を含み、
前記ミニブログサーバーは、
ミニブログアルバム閲覧要求情報を受信し、前記識別子に対応する前記ミニブログ情報を取得して、前記アルバム要求ユニットにフィードバックするアドレスフィードバックユニットを含む
ことを特徴とする請求項7に記載のシステム。
【請求項９】
前記画像取得ユニットは、
クライアントスクリーンサイズ情報と画像リンクアドレスを有する第1の画像取得要求を画像アドレッシングユニットに送信し、該画像アドレッシングユニットからフィードバックされた画像を受信する画像取得サブユニットを含み、
前記ミニブログサーバーは、
前記画像取得サブユニットから送信された第1の画像取得要求を受信し、第1の画像取得要求に含まれている前記画像リンクアドレスに基づいて画像をアドレッシングすることで、前記画像リンクアドレスに対応する保存された画像を見つけ出し、保存された画像の中からクライアント画面サイズに合致する画像を抽出して、画像取得サブユニットにフィードバックする画像アドレッシングユニットを含む
ことを特徴とする請求項8に記載のシステム。
【請求項１０】
前記ミニブログクライアントは、ユーザから入力された、前記画像リンクアドレスを有する画像拡大表示要求を受信し、拡大サイズと前記画像リンクアドレスを有する第2の画像取得要求を画像アドレッシングユニットに送信し、画像アドレッシングユニットからフィードバックされた画像を受信して、拡大表示する、画像拡大ユニットをさらに含み、
前記画像アドレッシングユニットは、前記画像拡大ユニットからの前記第2の画像取得要求を受信し、前記第2の画像取得要求に含まれている前記画像リンクアドレスに基づいて画像をアドレッシングすることで、前記2の画像取得要求に含まれている前記画像リンクアドレスに対応する保存された画像を見つけ出し、保存された画像の中からクライアントスクリーンサイズに合致する画像を抽出して、前記画像取得サブユニットにフィードバックする
ことを特徴とする請求項9に記載のシステム。
【請求項１１】
前記識別子を有するミニブログアルバム閲覧要求情報を受信し、該要求情報を前記ミニブログサーバーに送信するアルバム要求ユニットと、
前記ミニブログサーバーからフィードバックされた前記識別子に対応する前記ミニブログ情報を受信して、画像取得ユニットに送信するミニブログ情報受信ユニットと、
前記ミニブログ情報における前記画像リンクアドレスに基づいて前記ミニブログサーバーから画像を取得して、画像表示ユニットに送信する画像取得ユニットと、
取得された画像でアルバムを組版及び生成し、表示する画像表示ユニットと、を含む
ことを特徴とするミニブログクライアント。
【請求項１２】
前記画像取得ユニットは、
前記ミニブログクライアントのスクリーンサイズ情報及び前記画像リンクアドレスを有する第1の画像取得要求を前記ミニブログサーバーに送信し、前記ミニブログサーバーからフィードバックされた画像を受信する画像取得サブユニットを含む
ことを特徴とする請求項11に記載のミニブログクライアント。
【請求項１３】
前記ミニブログクライアントは、
ユーザから入力された、画像リンクアドレスを有する画像拡大表示要求を受信し、該画像拡大表示に保持された拡大サイズと画像リンクアドレスを有する第2の画像取得要求を前記ミニブログサーバーに送信し、前記ミニブログサーバーからフィードバックされた画像を受信して、拡大表示する画像拡大ユニットをさらに含む
ことを特徴とする請求項12に記載のミニブログクライアント。
【発明の詳細な説明】
【技術分野】
【０００１】
本発明は、データ通信分野に関し、特にミニブログアルバムへアクセスするための方法及びシステムに関する。
【背景技術】
【０００２】
現在、多くの画像がミニブログユーザによってミニブログに公開され、且つ画像の公開方法もより便利になり、画像シェアのニーズも増え、ミニブログにはすでに多くの画像のリソースが蓄積されている。また、画像はテキストよりはるかに豊富な情報を伝えることができるため、「画像読み時代」も近づいてくる。従って、ユーザが迅速に自分や他人が公開したミニブログの画像を閲覧することができるように、ミニブログに散在する画像を集中的に表示することは、早急に解決すべき問題である。
【０００３】
ミニブログビジネスはwebミニブログとクライアントミニブログを含み、以下、ミニブログ画像を集中的に閲覧する方法についてそれぞれ説明する。
【０００４】
webミニブログにおいて、サーバーによって、ユーザがミニブログに公開した画像を収集し、収集した画像をアルバム形でwebページに添付して、webミニブログページをユーザ端末に送信して表示させる。
【０００５】
クライアントミニブログにおいて、ユーザ端末にミニブログクライアントをインストールし、ユーザがミニブログクライアントを通じてログインした後、サーバーによりミニブログ情報をミニブログクライアントにフィードバックして表示させる。
クライアントミニブログは多くは携帯端末に応用されており、携帯端末の表示画面が小さく、操作が簡潔で、且つ流量の制限を受けるため、現在のクライアントミニブログは、画像を含むミニブログの情報を表示する機能のみを提供し、ユーザが以前にアップロードした過去の画像を集中的に表示することはできない。
【０００６】
ただし、実際の応用において、ユーザのニーズを満たすため、普通、ミニブログクライアントによってユーザがアップロードした過去の画像を表示する必要がある。webミニブログは、クライアントミニブログの実現形態と異なって、webページの形態で情報のインタラクションを行うため、webミニブログにおける画像の集中表示技術をクライアントに直接的に応用することができない。従って、ミニブログクライアントによってユーザの画像を集中的に表示することは、早急に解決すべき課題である。
【発明の概要】
【発明が解決しようとする課題】
【０００７】
本発明は、ミニブログクライアントによって、ユーザがアップロードした過去の画像を集中的に表示できるミニブログアルバムへアクセスするための方法を提供する。
【０００８】
また、本発明は、ミニブログクライアントによって、ユーザがアップロードした過去の画像を集中的に表示できるミニブログアルバムへアクセスするためのシステムを提供する。
【０００９】
また、本発明は、ユーザがアップロードした過去の画像を集中的に表示できるミニブログクライアントを提供する。
【課題を解決するための手段】
【００１０】
ミニブログアルバムへアクセスするための方法は、以下のステップを含む。
【００１１】
第1のステップにおいて、ミニブログクライアントが、識別子を有するミニブログアルバムの閲覧要求情報を受信し、該要求情報をミニブログサーバーに送信する。
【００１２】
第2のステップにおいて、ミニブログクライアントが、ミニブログサーバーによりフィードバックされた前記識別子に対応するミニブログ情報を受信する。
【００１３】
第3のステップにおいて、ミニブログクライアントが、ミニブログ情報に保持された画像のリンクアドレスに基づいて、ミニブログサーバーから画像を取得する。
【００１４】
第4のステップにおいて、ミニブログクライアントが、取得した画像でアルバムを組版及び生成し、表示する。
【００１５】
ミニブログアルバムへアクセスするためのシステムは、ミニブログクライアントとミニブログサーバーを含む。
【００１６】
前記ミニブログクライアントは、識別子を有するミニブログアルバムの閲覧要求情報を受信して、該要求情報をミニブログサーバーに送信し、ミニブログサーバーからフィードバックされた前記識別子に対応するミニブログ情報を受信し、ミニブログ情報に保持された画像のリンクアドレスに基づいてミニブログサーバーから画像を取得し、取得した画像でアルバムを組版及び生成し、表示する。
【００１７】
前記ミニブログサーバーは、ミニブログクライアントからのミニブログアルバムの閲覧要求情報を受信し、前記識別子に対応するミニブログ情報を抽出して、ミニブログクライアントにフィードバックする。
【００１８】
ミニブログクライアントは、アルバム要求ユニット、ミニブログ情報受信ユニット、画像取得ユニットおよび画像表示ユニットを含む。
【００１９】
前記アルバム要求ユニットは、識別子を有するミニブログアルバムの閲覧要求情報を受信し、該要求情報をミニブログサーバーに送信する。
【００２０】
前記ミニブログ情報受信ユニットは、ミニブログサーバーからフィードバックされた前記識別子に対応するミニブログ情報を受信して、画像取得ユニットに送信する。
【００２１】
前記画像取得ユニットは、ミニブログ情報における画像リンクアドレスに基づいてミニブログサーバーから画像を取得して、画像表示ユニットに送信する。
【００２２】
前記画像表示ユニットは、取得し画像でアルバムを組版及び生成し、表示する。
【００２３】
上記の技術案からわかるように、本発明は、必要に応じて、ミニブログクライアントがミニブログサーバーから識別子に対応するミニブログ情報を取得し、さらにミニブログ情報における画像リンクアドレスに基づいてミニブログサーバーから画像を取得し、取得したすべての画像でミニアルバムを生成し、該ミニアルバムを表示する。したがって、ミニブログクライアントによってユーザがアップロードした過去の画像を集中的に表示することを実現し、ユーザのニーズを満たす。
【図面の簡単な説明】
【００２４】
【図１】本発明に係るミニブログアルバムへアクセスするための方法の模式的なフローチャートである。
【図２】本発明に係るミニブログクライアントに表示されるミニブログアルバム及び拡大図の一例である。
【図３】本発明に係るミニブログアルバムへアクセスするための方法のフローチャートを示す一例である。
【図４】本発明に係るミニブログアルバムへアクセスするためのシステムを示す構成図である。
【発明を実施するための形態】
【００２５】
以下、実施例及び図面を用いて、本発明の目的、技術案及びメリットをより明確で詳細に説明する。
【００２６】
図1は、本発明に係るミニブログアルバムへアクセスするための方法の模式的なフローチャートであり、当該方法は、以下のステップ101〜103を含む。
【００２７】
ステップ101において、ミニブログクライアントは、識別子を有するミニブログアルバムの閲覧要求情報を受信し、該要求情報をミニブログサーバーへ送信する。
【００２８】
具体的に、識別子は、例えばミニブログにログインするためのIDなどのユーザ識別子である。
【００２９】
ミニブログクライアントがユーザにより入力された識別子を有するミニブログアルバムの閲覧要求情報を受信することは、ユーザインタフェースに複数のそれぞれ異なる識別子に対応するミニアルバムの機能キーを設定することにより実現でき、ユーザが特定の識別子に対応するキーをクリックすると、該識別子を有するミニブログアルバムの閲覧要求情報がユーザにより入力されたことがミニブログクライアントに認識される。
ミニブログアルバムの機能キーに対応する識別子は、アクティブユーザのミニアルバムを取得するための、ミニブログクライアントにログインしているアクティブユーザの識別子であってもよく、アクティブユーザの友人のミニアルバムを取得するための、アクティブユーザの友人の識別子であってもよい。
【００３０】
ミニブログサーバーは、ミニブログアルバムの閲覧要求情報を受信した後、ミニブログクライアントに上記の識別子に対応するすべてのミニブログ情報をフィードバックすることができる。
【００３１】
更に、ユーザのオリジナルミニブログ画像がより多く注目されるため、ユーザのオリジナルミニブログ画像によって、該ユーザに対する第一印象の感知をより迅速に形成することができる。これにより、ミニブログサーバーがミニブログクライアントからのミニブログアルバムの閲覧要求情報を受信した後、当該方法は、さらに、ミニブログサーバーが前記識別子に対応するすべてのミニブログ情報を取得することと、前記ユーザ識別子に従ってユーザにより創作していないミニブログ情報を取り除き、ユーザによるオリジナルなミニブログ情報のみをミニブログクライアントにフィードバックすることと、を含む。ミニブログ情報がユーザによるオリジナルであるか否かはミニブログ情報のタイプに従って確定でき、そのタイプが中継放送である場合、ユーザによるオリジナルではなく、そのタイプが放送である場合、ユーザによるオリジナルである。
【００３２】
ステップ102において、ミニブログクライアントは、ミニブログサーバーからフィードバックされた、前記識別子に対応するミニブログ情報を受信する。
【００３３】
実際の応用において、ミニブログサーバーは、識別子に対応して各ユーザのミニブログ情報を保存し、且つミニブログ情報と画像をそれぞれ保存する。ミニブログ情報には画像が含まれておらず、画像のリンクアドレスが含まれている。本発明において、ミニブログサーバーが、識別子を有するミニブログアルバムの閲覧要求情報を受信し、識別子に基づいて、対応するミニブログ情報を取得し，ミニブログクライアントに該ミニブログ情報をフィードバックする。具体的に、画像のリンクアドレスは、例えば、画像のユニフォームリソースロケータ（URL,UniformResource Locator）のアドレスなどである。
【００３４】
ステップ103において、ミニブログクライアントは、ミニブログ情報に保持された画像リンクアドレスに基づいてミニブログサーバーから画像を取得し、取得した画像でミニブログアルバムを組版及び生成し、表示する。
【００３５】
ミニブログ情報に保持された画像リンクアドレスに基づいてミニブログサーバーから画像を取得することは、具体的には、以下の内容を含む。
【００３６】
１つは、ミニブログクライアントが、ミニブログサーバーにクライアントスクリーンサイズ情報及び画像リンクアドレスを有する第1の画像取得要求を送信することである。
【００３７】
もう１つは、ミニブログサーバーが、第1の画像取得要求に含まれている画像リンクアドレスに基づいて画像をアドレッシングすることで、画像リンクアドレスに対応する保存された画像を見つけ出し、保存された画像の中からクライアントスクリーンサイズに合致する画像を抽出して前記ミニブログクライアントへフィードバックすることである。
【００３８】
ミニブログサーバーには複数の異なるサイズの画像が保存されており、アドレッシングによって対応する画像を見つけ出した後、ミニブログサーバーは、前記クライアントスクリーンサイズに合致する画像をミニブログクライアントへフィードバックする。ミニアルバムは複数の画像を同時に表示し、ミニブログアルバムにおける画像の順列との組み合せは必要に応じて設置することができ、例えば三枚又は四枚の画像を横方向に並ぶことができる。図２は四枚の画像を横方向に並んだ一例である。具体的に、ミニブログアルバムにおける画像は、時系列に並べられる。
【００３９】
ミニブログアルバムを表示した後、ミニブログアルバム内の特定の画像を拡大して表示することもできる。具体的には、必要に応じて、ユーザがミニブログアルバム内の特定の画像をクリックすると、各画像がその画像リンクアドレスに対応しているため、ミニブログクライアントに画像リンクアドレスを有する画像拡大表示要求を送信することに相当し、その後、ミニブログクライアントは、ミニブログサーバーに拡大サイズと画像リンクアドレスを有する第2の画像取得要求を送信する。
【００４０】
ミニブログサーバーは、第2の画像取得要求に含まれている画像リンクアドレスに基づいて画像をアドレッシングすることで、第2の画像取得要求に含まれている画像リンクアドレスに対応する保存された画像を見つけ出し、保存された画像の中からクライアントスクリーンサイズに合致する画像を抽出して、前記ミニブログクライアントへフィードバックして表示させる。
【００４１】
ミニブログクライアントは、それがインストールされるユーザ端末のスクリーンサイズに基づいて、拡大サイズを確定し、確定した拡大サイズを含む画像取得要求をミニブログサーバーに送信する。ミニブログサーバーには、複数の異なるサイズの画像が保存されており、アドレッシングによって対応する画像を見つけ出した後、ミニブログサーバーは、前記拡大サイズに合致する画像をミニブログクライアントへフィードバックする。ミニブログクライアントは、受信した画像を表示する。図２の一例においては、ミニブログアルバムの1番目の画像を拡大して表示した。
【００４２】
前記拡大サイズに合致する画像をミニブログクライアントに送信して表示した後、当該方法は、さらに、ミニブログクライアントがユーザによって入力された画像リンクアドレスを有するミニブログ情報表示要求を受信することと、ステップ102におけるミニブログサーバーからフィードバックされたミニブログ情報から、画像リンクアドレスに対応するミニブログ文字内容情報を抽出して、拡大画像と共に表示し、具体的には、現在表示している拡大画像にミニブログ情報を重ねて表示することと、を含む。指定された情報を画像に重ねて表示することは従来技術であるため、ここでその説明は省略する。図２の一例において、ミニブログアルバムの1番目の画像を拡大して表示し、該画像に対応するミニブログ情報を拡大画像に重ねて表示し、画像底部のグレー部分がミニブログ情報の表示領域である。
【００４３】
以下、図３に示す一例を参照して、本発明に係るミニブログアルバムへアクセスするための方法について説明し、当該方法は以下のステップ301〜308を含む。
【００４４】
ステップ301において、ミニブログクライアントは、ユーザによって入力された識別子を有するミニブログアルバム閲覧要求情報を受信して、該情報をミニブログサーバーに送信する。
【００４５】
ステップ302において、ミニブログサーバーは、前記識別子に対応するすべてのミニブログ情報を取得し、ユーザによるオリジナルなミニブログ情報を確定し、ユーザによるオリジナルなミニブログ情報をミニブログクライアントへフィードバックする。
【００４６】
ステップ303において、ミニブログクライアントは、ミニブログ情報から画像リンクアドレスを抽出し、ミニブログサーバーにクライアントスクリーンサイズ情報と画像リンクアドレスを有する画像取得要求を送信する。
【００４７】
ステップ304において、ミニブログサーバーは、画像リンクアドレスに基づいて画像をアドレッシングすることで、画像リンクアドレスに対応する保存された画像を見つけ出し、保存された画像の中から前記クライアントスクリーン画面サイズ情報に合致する画像を抽出して、ミニブログクライアントへフィードバックする。
【００４８】
ステップ305において、ミニブログクライアントは、取得した全ての画像を含むミニアルバムを生成し、該ミニアルバムを表示する。
【００４９】
ステップ306において、ミニブログクライアントは、ユーザが入力した画像のリンクアドレスを有する画像拡大表示要求を受信し、拡大サイズと画像リンクアドレスを有する画像取得要求をミニブログサーバーに送信する。
【００５０】
ステップ307において、ミニブログサーバーは、画像取得要求に含まれている画像リンクアドレスに基づいて画像をアドレッシングすることで、画像リンクアドレスに対応する保存された画像を見つけ出し、保存された画像の中から拡大サイズに合致する画像を抽出して、ミニブログクライアントへフィードバックして表示させる。
【００５１】
ステップ308において、ミニブログクライアントは、ユーザによって入力された、画像リンクアドレスを有するミニブログ情報表示要求を受信し、ステップ302におけるミニブログサーバーからフィードバックされたミニブログ情報の中から、画像リンクアドレスに対応するミニブログ情報を抽出して、現在表示している拡大画像にミニブログ情報を重ねて表示する。
【００５２】
本発明において、必要に応じて、ミニブログクライアントは、ミニブログサーバーから識別子に対応するミニブログ情報を取得し、更にミニブログ情報における画像のリンクアドレスに基づいてミニブログサーバーから画像を取得し、取得した全ての画像でミニアルバムを生成し、該ミニアルバムを表示する。これにより、ミニブログクライアントによってユーザがアップロードした過去の画像を集中的に表示することを実現して、ユーザのニーズを満たす。
【００５３】
図4は、本発明に係るミニブログアルバムにアクセスするためのシステムを示す構成図であり、当該システムは、ミニブログクライアント及びミニブログサーバーを含む。
【００５４】
前記ミニブログクライアントは、識別子を有するミニブログアルバムの閲覧要求情報を受信し、該要求情報をミニブログサーバーに送信し、ミニブログサーバーからフィードバックされた前記識別子に対応するミニブログ情報を受信し、ミニブログ情報の中の画像リンクアドレスに基づいてミニブログサーバーから画像を取得し、取得された画像でアルバムを組版及び生成し、表示する。
【００５５】
前記ミニブログサーバーは、ミニブログクライアントからのミニブログアルバムの閲覧要求情報を受信し、前記識別子に対応するミニブログ情報を抽出して、ミニブログクライアントへフィードバックする。
【００５６】
また、前記ミニブログクライアントは、必要に応じて、アルバム要求ユニット、ミニブログ情報受信ユニット、画像取得ユニット及び画像表示ユニットをさらに含むことができ、前記ミニブログサーバーは、必要に応じて、アドレスフィードバックユニットをさらに含むことができる。
【００５７】
前記アルバム要求ユニットは、識別子を有するミニブログアルバムの閲覧要求情報を受信し、該要求情報をミニブログサーバーに送信する。
【００５８】
前記ミニブログ情報受信ユニットは、ミニブログサーバーからフィードバックされた前記識別子に対応するミニブログ情報を受信して、画像取得ユニットに送信する。
【００５９】
前記画像取得ユニットは、ミニブログ情報における画像リンクアドレスに基づいてミニブログサーバーから画像を取得し、画像表示ユニットに送信する。
【００６０】
前記画像表示ユニットは、取得した画像でアルバムを組版及び生成し、表示する。
【００６１】
前記アドレスフィードバックユニットは、ミニブログアルバムの閲覧要求情報を受信し、前記識別子に対応するミニブログ情報を取得して、アルバム要求ユニットにフィードバックする。
【００６２】
また、前記画像取得ユニットは、必要に応じて、画像取得サブユニットをさらに含むことができ、前記ミニブログサーバーは、必要に応じて、画像アドレッシングユニットをさらに含むことができる。
【００６３】
前記画像取得サブユニットは、画像アドレッシングユニットにクライアントスクリーンサイズ情報及び画像リンクアドレスを有する第1の画像取得要求を送信し、画像アドレッシングユニットからフィードバックされた画像を受信する。
【００６４】
前記画像アドレッシングユニットは、画像取得サブユニットが送信した第1の画像取得要求を受信し、第1の画像取得要求に含まれている画像リンクアドレスに基づいて画像をアドレッシングすることで、画像リンクアドレスに対応する保存された画像を見つけ出し、保存された画像の中からクライアントスクリーンサイズに合致する画像を抽出して、画像取得サブユニットにフィードバックする。
【００６５】
また、前記ミニブログクライアントは、必要に応じて、画像拡大ユニットをさらに含むことができ、前記画像拡大ユニットは、ユーザが入力した画像リンクアドレスを有する画像拡大表示要求を受信し、画像アドレッシングユニットに拡大サイズと画像リンクアドレスを有する第2の画像取得要求を送信し、画像アドレッシングユニットからフィードバックされた画像を受信して、拡大表示する。
【００６６】
前記画像アドレッシングユニットは、画像拡大ユニットからの第2の画像取得要求を受信し、第2の画像取得要求に含まれている画像リンクアドレスに基づいて画像をアドレッシングすることで、第2の画像取得要求に含まれている画像リンクアドレスに対応する保存された画像を見つけ出し、保存された画像の中からクライアントスクリーンサイズに合致する画像を抽出して、画像取得サブユニットにフィードバックする。
【００６７】
本発明を採用することにより、ミニブログクライアントにおいてアルバムと同様な形態でユーザのミニブログ画像を閲覧することを実現し、ユーザがミニブログに公開したことがある過去の画像を迅速に把握し、画像の読取によりユーザへの了解を速め、ミニブログユーザの忠誠心と経験を大きく改善する。
【００６８】
上述した記載は、好適な実施例であって、本発明はこれに限定されず、本発明の要旨と原則の範囲で行われた全ての変更、同等な切り替え、改良等は、いずれも本発明の特許請求の範囲に含まれる。
【図１】
2014533869.tif 000003
【図２】
2014533869.tif 000004
【図３】
2014533869.tif 000005
【図４】
2014533869.tif 000006
【国際調査報告】
2014533869.tif 000007
2014533869.tif 000008